(57)【特許請求の範囲】
【請求項１】
回転バルブ、
前記回転バルブに結合され、かつ被処理粉砕物を収容する被処理物定量収容部、
超臨界流体となる流体又は溶媒を貯留する流体貯留槽と前記回転バルブとを高圧ポンプを介して結合し、かつ目的槽と前記回転バルブとを結合する第１流路、
並びに被処理粉砕物を供給する被処理物供給手段と前記被処理物定量収容部とを前記回転バルブを介して結合する第２流路を備え、
前記回転バルブが回転することにより、第１流路の一部に前記被処理物定量収容部が組み込まれ、前記被処理物定量収容部内の被処理粉砕物を目的槽に前記高圧ポンプにより超臨界流体又は高圧溶媒で流出することを特徴とする被処理物導入装置。
【請求項２】
回転バルブ、
前記回転バルブに結合され、かつ被処理粉砕物を収容する被処理物定量収容部、
超臨界流体となる流体又は溶媒を貯留する流体貯留槽と前記回転バルブとを高圧ポンプを介して結合し、かつ目的槽と前記回転バルブとを被処理物定量収容部を介して結合する第１流路、
並びに前記第１流路の被処理物定量収容部とは異なる被処理物定量収容部と被処理粉砕物を供給する被処理物供給手段とを前記回転バルブを介して結合する第２流路を備え、
前記回転バルブが回転することにより、前記第２流路の被処理物定量収容部が第１流路の一部に組み込まれ、かつ第１流路の被処理物定量収容部が第２流路に組み込まれることにより、第１流路の一部に組み込まれる前記被処理物定量収容部内の被処理粉砕物を目的槽に前記高圧ポンプにより超臨界流体又は高圧溶媒で流出することを特徴とする被処理物導入装置。
【請求項３】
請求項１に記載の被処理物導入装置を用い、前記流体貯留槽内に収容された超臨界流体となる流体又は溶媒を前記第１流路に流通させ、さらにこのとき前記被処理物供給手段が第２流路に被処理粉砕物を供給して前記被処理物定量収容部に被処理粉砕物を収容させ、その後前記回転バルブにより流路を切り替えて、第１流路に組み込まれた前記被処理物定量収容部に前記超臨界流体となる流体又は溶媒を流通させて、収容された被処理粉砕物を高圧ポンプにより前記超臨界流体又は高圧溶媒で流出させることを特徴とする被処理物導入方法。
【請求項４】
請求項２に記載の被処理物導入装置を用い、前記流体貯留槽内に収容された超臨界流体となる流体又は溶媒を前記第１流路に流通させ、さらにこのとき前記被処理物供給手段が第２流路に被処理粉砕物を供給して前記被処理物定量収容部に被処理粉砕物を収容させ、その後前記回転バルブにより流路を切り替えて、前記第１流路が備える前記被処理物定量収容部を前記第２流路の一部に組み込み、前記第２流路が備える前記被処理物定量収容部を前記第１流路の一部に組み込んで、第１流路に組み込まれた前記被処理物定量収容部に前記超臨界流体となる流体又は溶媒を流通させて、その被処理物定量収容部に収容された被処理粉砕物を高圧ポンプにより前記超臨界流体又は高圧溶媒で流出させ、さらに前記被処理物供給手段が第２流路に被処理粉砕物を供給して、第２流路に組み込まれた前記被処理物定量収容部に被処理粉砕物を収容させることを特徴とする被処理物導入方法。
【発明の詳細な説明】
【０００１】
【発明の属する技術分野】
この発明は、被処理物導入装置及び被処理物導入方法に関し、さらに詳しくは、被処理物定量収容部に収容された被処理物を高圧の流体と共に処理槽に導入する被処理物導入装置であり、被処理物定量収容部への被処理物の注入を常圧状態で行い、被処理物を高圧で処理槽に注入する高圧スラリーポンプ等の特別な装置を必要としない被処理物導入装置及び被処理物導入方法に関する。
【０００２】
【従来の技術】
廃プラスチック等のリサイクル処理方法の一つとして、超臨界流体を溶媒として用いて廃プラスチックを分解処理し、その処理物を回収する方法がある。
【０００３】
この分解処理方法には回分式及び連続投与式の反応槽が用いられる。
回分式の場合、超臨界流体により容易に分解する程度の粒径にまで粉砕された廃プラスチックを、超臨界反応容器へ入れた後に、高圧条件に耐えられるように反応容器を締め付けて加圧、加熱して超臨界状態にする。
【０００４】
回分式は、分解反応が終了した後に被処理物である廃プラスチックを新たに反応槽に追加するのに、いちいち反応槽内を常圧に戻さねばならないので、操作が面倒である。
【０００５】
連続投与式は、それに比べて、連続して廃プラスチックを追加することができるので、反応槽内を常圧に戻す必要がない点で優れている。
【０００６】
しかし、従来の連続投与式の超臨界反応を利用した廃プラスチック等の分解処理装置においては、高圧で供給される水と共に、廃プラスチック等を処理槽へ投与するので、その水の逆流を防ぐために、その水の圧力に優る圧力で廃プラスチック等を処理槽に注入する必要がある。このため、従来の連続投与式の前記分解処理装置では、高圧で廃プラスチック等を注入することができる大掛かりな被処理物注入装置が必要であった。
【０００７】
また、前記被処理物導入装置の一例である高圧スラリーポンプは、注入できる廃プラスチック等の粒径に限度があり、あまり大きい粒径の廃プラスチック等は注入できない。したがって、高圧スラリーポンプを使用する場合は、廃プラスチックを細かく粉砕する必要があり、処理コストがかさむという問題があった。
【０００８】
【発明が解決しようとする課題】
そこで、この発明は、例えば超臨界溶媒を溶媒として利用した廃プラスチックの分解処理装置等の、流体及び被処理物を高圧で処理槽に導入する被処理物導入装置であって、被処理物を高圧で注入する被処理物注入機構が不要な被処理物導入装置及び被処理物導入方法を提供することを目的とする。
【０００９】
【課題を解決するための手段】
前記目的を達成するためのこの発明は、
回転バルブ、
前記回転バルブに結合され、かつ被処理粉砕物を収容する被処理物定量収容部、
超臨界流体となる流体又は溶媒を貯留する流体貯留槽と前記回転バルブとを高圧ポンプを介して結合し、かつ目的槽と前記回転バルブとを結合する第１流路、
並びに被処理粉砕物を供給する被処理物供給手段と前記被処理物定量収容部とを前記回転バルブを介して結合する第２流路を備え、
前記回転バルブが回転することにより、第１流路の一部に前記被処理物定量収容部が組み込まれ、前記被処理物定量収容部内の被処理粉砕物を目的槽に前記高圧ポンプにより超臨界流体又は高圧溶媒で流出することを特徴とする被処理物導入装置である。
【００１０】
他の発明は、
前記被処理物導入装置を用い、前記流体貯留槽内に収容された超臨界流体となる流体又は溶媒を前記第１流路に流通させ、さらにこのとき前記被処理物供給手段が第２流路に被処理粉砕物を供給して前記被処理物定量収容部に被処理粉砕物を収容させ、その後前記回転バルブにより流路を切り替えて、第１流路に組み込まれた前記被処理物定量収容部に前記超臨界流体となる流体又は溶媒を流通させて、収容された被処理粉砕物を高圧ポンプにより前記超臨界流体又は高圧溶媒で流出させることを特徴とする被処理物導入方法である。
【００１１】
他の発明は、
回転バルブ、
前記回転バルブに結合され、かつ被処理粉砕物を収容する被処理物定量収容部、
超臨界流体となる流体又は溶媒を貯留する流体貯留槽と前記回転バルブとを高圧ポンプを介して結合し、かつ目的槽と前記回転バルブとを被処理物定量収容部を介して結合する第１流路、
並びに前記第１流路の被処理物定量収容部とは異なる被処理物定量収容部と被処理粉砕物を供給する被処理物供給手段とを前記回転バルブを介して結合する第２流路を備え、
前記回転バルブが回転することにより、前記第２流路の被処理物定量収容部が第１流路の一部に組み込まれ、かつ第１流路の被処理物定量収容部が第２流路に組み込まれることにより、第１流路の一部に組み込まれる前記被処理物定量収容部内の被処理粉砕物を目的槽に前記高圧ポンプにより超臨界流体又は高圧溶媒で流出することを特徴とする被処理物導入装置である。
【００１２】
他の発明は、
前記被処理物導入装置を用い、前記流体貯留槽内に収容された超臨界流体となる流体又は溶媒を前記第１流路に流通させ、さらにこのとき前記被処理物供給手段が第２流路に被処理粉砕物を供給して前記被処理物定量収容部に被処理粉砕物を収容させ、その後前記回転バルブにより流路を切り替えて、前記第１流路が備える前記被処理物定量収容部を前記第２流路の一部に組み込み、前記第２流路が備える前記被処理物定量収容部を前記第１流路の一部に組み込んで、第１流路に組み込まれた前記被処理物定量収容部に前記超臨界流体となる流体又は溶媒を流通させて、その被処理物定量収容部に収容された被処理粉砕物を高圧ポンプにより前記超臨界流体又は高圧溶媒で流出させ、さらに前記被処理物供給手段が第２流路に被処理粉砕物を供給して、第２流路に組み込まれた前記被処理物定量収容部に被処理粉砕物を収容させることを特徴とする被処理物導入方法である。
【００１３】
【発明の実施の形態】
以下、この発明の被処理物導入装置の具体例を、図面を用いて説明する。以下に示すこの発明の被処理物導入装置の具体例は、超臨界流体を溶媒として用いる廃プラスチック分解装置に組み込まれている。
【００１４】
図１は、この発明の被処理物導入装置の一具体例である被処理物導入装置１を含んだ廃プラスチック分解装置３０を示す概略図である。
【００１５】
廃プラスチック分解装置３０は、被処理物導入装置１と、分解処理を行う反応槽２と、冷却部３と、背圧弁４とを備える。目的槽である反応槽２には、超臨界温度を作り出す加熱装置が備えられている。また冷却部３には、冷却装置が備えられている。
【００１６】
被処理物導入装置１は、純水タンク６、高圧ポンプ７、被処理物供給手段８、流管９、流管１０、流管２４、流管１５、流管１６、流路切り替え手段１１、被処理物定量収容部１２及び弁制御手段（図示せず）を備える。
【００１７】
流体貯留槽である純水タンク６は、超臨界流体となる純水を貯留する容器である。純水は、温度３７１℃以上、圧力２２．１ＭＰａ以上にて超臨界となる。この被処理物導入装置に適用することができる超臨界流体となる流体としては、他にメタノール、二酸化炭素、メタン等を挙げることができる。尚、この発明の被処理物導入装置は、超臨界流体以外の流体も使用することもできる。
【００１８】
流管９は、純粋タンク６から反応槽２に至る流管である。流管９は、純粋タンク６内の純水を、被処理物収容部１２を通過させることなく反応槽２に供給することができる。
【００１９】
流管９は、分岐点１３と、分岐点１３よりも反応槽２寄りに位置する分岐点１４とを有する。したがって流管９は、純水タンク６から分岐点１３までの流管部１７、分岐点１３から分岐点１４までの流管部１８、及び分岐点１４から反応槽２までの流管部１９から形成されている。
【００２０】
被処理物供給手段８は、被処理物である廃プラスチックを被処理物定量収容部１２に供給する装置である。被処理物供給手段８は、例えばディスポーサブルシリンジである。
【００２１】
廃プラスチック分解装置３０において使用される被処理物は、廃プラスチックであり、例えばポリ塩化ビニル、ポリプロピレン、ポリエチレン、ポリエチレンテレフタレート，ＡＢＳ樹脂等の汎用プラスチックを挙げることができる。廃プラスチックは、特定の種類でもよいし、複数の種類のプラスチックからなる混合物でもよい。被処理物となる廃プラスチックは、被処理物定量収容部１２へ注入しやすくするために予め粉砕することが望ましい。
【００２２】
被処理物定量収容部１２は、被処理物供給手段８から供給される被処理物を収容する部分である。被処理物定量収容部１２は、その内部に被処理物を満たすことにより、一定量の被処理物を収容することが可能である。
【００２３】
被処理物定量収容部１２は、管体である。被処理物定量収容部１２の長さ及び内径は、反応槽２において処理される量等に応じて適宜決定することができる。
【００２４】
流管１０は、被処理物供給手段８から供給される被処理物を被処理物定量収容部１２内に導く流管である。流管１０は、被処理物供給手段８と被処理物定量収容部１２の入口とを結ぶ。
【００２５】
流管２４は、被処理物定量収容部１２に供給された過剰の被処理物を被処理物導入装置１外に排出する管である。流管２４は、被処理物定量収容部１２の出口に設けられている。
【００２６】
流管１５は、流管９の分岐点１３から、流管１０と被処理物定量収容部１２との接合部に至る流管である。流管１５は、純水タンク６から流管９に流出した純水が被処理物定量収容部１２を流通することを可能にする管である。
【００２７】
流管１６は、流管９の分岐点１４から、流管２４と被処理物定量収容部１２との接合部に至る流管である。流管１６は、被処理物定量収容部１２内の被処理物、又は純水タンク６から流管９の流管部１７に流出し、流管１５及び被処理物定量収容部１２を通過した純水が、流管９内に流入することを可能にする管である。
【００２８】
流路切り替え手段１１は、純水タンク６から流出した純水の流れを、流管１５に導き、被処理物定量収容部１２及び流管１６を通過させて、反応槽２に送り込む手段である。すなわち純水タンク６から高圧ポンプ７により送液された純水を、被処理物定量収容部１２を通過させることなく反応槽２に導く流路に対し、前記流路を、被処理物定量収容部１２を通過させて反応槽２に導く迂回路を形成する手段である。
【００２９】
流路切り替え手段１１は、開閉弁２１、三方切り替え弁２２及び三方切り替え弁２３により形成される。
【００３０】
開閉弁２１は、流管９の流管部１８に設けられている。開閉弁２１は、閉じることにより、流管９の流管部１８内の流れが遮断され、純水タンク６から流管９の流管部１７、流管部１８及び流管部１９を通って反応槽２に至る純水の流通を阻止する。開閉弁２１は、開けることにより、流管９の流管部１８内の流路が開放され、純水タンク６から流管９の流管部１７、流管部１８及び流管部１９を通って反応槽２に至る純水の流通を可能にする。
【００３１】
三方切り替え弁２２は、流管１５と流管１０と被処理物定量収容部１２との接合部に設けられている。三方切り替え弁２２は、その開閉により、流管１０内の流れを遮断し、流管１５内の流路と被処理物定量収容部１２内の流路とを連通させること、及び流管１５内の流れを遮断し、流管１０内の流路と被処理物定量収容部１２内の流路とを連通させることが可能である。
【００３２】
三方切り替え弁２３は、流管１６と流管２４と被処理物定量収容部１２との接合部に設けられている。三方切り替え弁２３は、その開閉により、流管２４内の流れを遮断し、被処理物定量収容部１２内の流路と流管１６内の流路とを連通させること、及び流管１６内の流れを遮断し、被処理物定量収容部１２内の流路と流管２４内の流路とを連通させることが可能である。
【００３３】
開閉弁２１と三方切り替え弁２２と三方切り替え弁２３とは、同期して切り替えられる。すなわち開閉弁２１が流管９の流管部１８内の流れを遮断したときには、三方切り替え弁２２は、流管１０内の流れを遮断し、流管１５内の流路と被処理物定量収容部１２内の流路とを連通させ、三方切り替え弁２３は、流管２４内の流れを遮断し、被処理物定量収容部１２内の流路と流管１６内の流路とを連通させる。開閉弁２１が流管９の流管部１８内の流路を開放したときには、三方切り替え弁２２は、流管１５内の流れを遮断し、流管１０内の流路と被処理物定量収容部１２内の流路とを連通させ、三方切り替え弁２３は、流管１６を遮断し、被処理物定量収容部１２内の流路と流管２４内の流路とを連通させる。
【００３４】
被処理物導入装置１においては、純水タンク６から流出した流体を反応槽に送ることのできる流路が第１流路である。すなわち、開閉弁２１が流管９の流管部１８内の流路を開放し、三方切り替え弁２２が流管１５内の流れを遮断し、三方切り替え弁２３が流管１６内の流れを遮断しているときには、流管９内の流路、つまり流管部１７、流管部１８及び流管部１９により形成される流路が第１流路である。開閉弁２１が流管９の流管部１８内の流れを遮断し、三方切り替え弁２２が流管１０内の流れを遮断し、三方切り替え弁２３が流管２４内の流れを遮断しているときには、流管９の流管部１７、流管１５、被処理物定量収容部１２、流管１６及び流管９の流管部１９により形成される流路が第１流路である。
【００３５】
被処理物導入装置１においては、被処理物定量収容部１２を備え、被処理物供給手段８から被処理物供給手段から供給された被処理物を、前記被処理物定量収容部を経由して送ることのできる流路が第２流路である。すなわち開閉弁２１が流管９の流管部１８内の流路を開放し、三方切り替え弁２２が流管１５内の流れを遮断し、三方切り替え弁２３が流管１６を遮断しているときには、流管１０、被処理物定量収容部１２及び流管２４により形成される流路が第２流路である。開閉弁２１が流管９の流管部１８内の流れを遮断し、三方切り替え弁２２が流管１０内の流れを遮断し、三方切り替え弁２３が流管２４内の流れを遮断しているときには、第２流路は形成されていない。
【００３６】
したがって流路切替手段１１は、第２流路の一部であった被処理物定量収容部１２を第１流路の一部に組み込む手段であり、また第１流路の一部であった被処理物定量収容部１２を第１流路から切り離して、第２流路の一部に組み込む手段でもある。
【００３７】
高圧ポンプ７は、流管９の流管部１７に設けられている。高圧ポンプ７は、純水タンク６内に貯留された純水を高圧で前記第１流路に送液する。高圧ポンプ７の性能及び構造等は、この発明の目的を達成することができれば特に制限はなく、要求される処理量等に応じて適宜決定することができる。
【００３８】
前記弁制御手段は、前記各弁の開閉を制御する手段である。前記弁制御手段としては、前述のような各弁の開閉を可能にすることができれば特に制限はなく、公知の手段を使用することができる。
【００３９】
被処理物導入装置１は、次のように作用する。
前記弁制御手段を操作して、開閉弁２１は「開」の状態にし、三方切り替え弁２２は、流管１５内の流れを遮断して、流管１０内の流路と被処理物定量収容部１２内の流路とを連通させた状態にし、三方切り替え弁２３は、流管１６内の流れを遮断して、被処理物定量収容部１２内の流路と流管２４内の流路とを連通させた状態にする。この状態においては、流管９内の流路が第１流路であり、流管１０、被処理物定量収容部１２及び流管２４により形成される流路が第２流路である。この状態においては、被処理物定量収容部１２における純水の流通は不能である。
【００４０】
高圧ポンプ７を作動させ、純粋タンク６内の純水を前記第１流路、すなわち流管部１７、流管部１８及び流管部１９に流通させる。このとき前述のように三方切り替え弁２２及び三方切り替え弁２３により、流管１５及び流管１６内の流路がそれぞれ遮断されているので、純粋タンク６内から送液された純水が流管１５、被処理物定量収容部１２、及び流管１６内の流路を流通することがない。
【００４１】
被処理物供給手段８に所定量の被処理物である廃プラスチックを入れ、被処理物供給手段８を操作して廃プラスチックを流管１０内に押し出す。前述の通りに、三方切り替え弁２２により流管１０、被処理物定量収容部１２及び流管２４から成る第２流路が形成されているので、前記押し出された廃プラスチックは、流管１０を通過して、被処理物定量収容部１２内に供給され、被処理物定量収容部１２内に収容しきれない過剰分の廃プラスチックは、流管２４内に移行する。
【００４２】
このとき被処理物定量収容部１２内には高圧の純水が流通していないので、被処理物定量収容部１２内は大気圧である。したがって三方切り替え弁２２により流管１０内の流路と被処理物定量収容部１２内の流路とを連通させても、被処理物定量収容部１２内の流路から流管１０内に高圧の純水が逆流することがないので、被処理物供給手段８のような簡便な装置により、被処理物を容易に被処理物定量収容部１２内に注入することが可能である。
【００４３】
前記弁制御手段を操作して、開閉弁２１は「閉」の状態にし、三方切り替え弁２２は、流管１０内の流れを遮断して、流管１５内の流路と被処理物定量収容部１２内の流路とを連通させた状態にし、三方切り替え弁２３は、流管２４内の流れを遮断して、被処理物定量収容部１２内の流路と流管１６内の流路とを連通させた状態にする。この状態においては、流管９の流管部１７、流管１５、被処理物定量収容部１２、流管１６及び流管９の流管部１９により形成される流路が第１流路であり、第２流路は形成されていない。
【００４４】
純水タンク６から流出した純水は、開閉弁２１が「閉」であるので、流管部１８を通過することができない。このため純水は、第１流路すなわち流管部１７、流管１５、被処理物定量収容部１２、流管１６及び流管部１９内の流路を流通する。このとき被処理物定量収容部１２内に収容された廃プラスチックは、高圧で流れる前記純水により押し流されて、流管１６及び流管部１９を通過して、前記純水とともに反応槽２に送られる。
【００４５】
前記弁制御手段を操作して、各弁を初期状態にする。すなわち開閉弁２１は「開」の状態にし、三方切り替え弁２２は、流管１５内の流れを遮断して、流管１０内の流路と被処理物定量収容部１２内の流路とを連通させた状態にし、三方切り替え弁２３は、流管１６内の流れを遮断して、被処理物定量収容部１２内の流路と流管２４内の流路とを連通させた状態にする。この状態においては、流管９内の流路が第１流路であり、流管１０、被処理物定量収容部１２及び流管２４により形成される流路が第２流路である。
【００４６】
前記と同様の操作を繰り返すことにより、被処理物の導入を次々に行うことができる。
【００４７】
なお、反応槽２に送られた純水は、超臨界状態になり、一部又は全部が水素イオンと水酸化イオンとに分解する。反応槽２に導入された被処理物は、超臨界状態の純水に溶解する。被処理物が溶解した純水は、冷却部３に送られ冷却された後、反応生成物として回収される。
【００４８】
この発明に係る被処理物導入装置における上記具体例においては、流路切り替え手段は弁装置であるが、この弁装置としては、流路切り替え手段１１のような開閉弁及び三方切り替え弁に制限されることはなく、上記のような機能を有していれば他の弁装置であってもよい。
【００４９】
この発明に係る被処理物導入装置における上記具体例の流路は、被処理物導入装置１に示された流路に制限されることはなく、被処理物導入装置１において示した機能を有する限り、他の構造の流路であってもよく、例えば第２流路が第１流路から分岐した状態で設けられるのではなく、直接純水タンクと反応槽とを結ぶように設けられていてもよい。
【００５０】
この発明に係る被処理物導入装置における上記具体例においては、被処理物定量収容部１２を流通した被処理物及び純水は、流管９を経由して反応槽に送られるが、この発明に係る被処理物導入装置においては、前記被処理物及び純水は、流管９を経由することなく、直接反応槽に送られてもよい。
【００５１】
図２は、この発明の他の実施の形態である被処理物導入装置３１を示す概略図である。
被処理物導入装置３１は、流路切り替え手段として回転切り替えバルブを使用する点が、流路切り替え手段として弁装置を使用した被処理物導入装置１と異なる。
【００５２】
被処理物導入装置３１は、純水タンク６、高圧ポンプ７、被処理物供給手段８、流管４５、流管４６、流管４７、流管４８、回転切り替えバルブ３２、被処理物定量収容部３５及びバルブ制御手段（図示せず）を備える。被処理物導入装置３１は、純水タンク、高圧ポンプ及び被処理物供給手段に関しては被処理物定量収容部１と共通である。
【００５３】
流路切り替え手段である回転切り替えバルブ３２は、円柱体である。回転切り替えバルブ３２は、孔３６、孔３７及び孔３８を有する。孔３６は、回転切り替えバルブ３２の外周面に開口３９及び開口４０を有し、孔３７は、回転切り替えバルブ３２の外周面に開口４１及び開口４２を有し、孔３８は、回転切り替えバルブ３２の外周面に開口４３及び開口４４を有する。
【００５４】
図２において、前記各孔が実線で示される状態においては、各孔と他の部材との関係は次のようになっている。純水タンク６から延びる流管４５は、孔３７の開口４１に達する。反応槽２から延びる流管４６は、孔３７の開口４２に達する。被処理物供給手段８から延びる流管４７は、孔３６の開口３９に達する。ドレン管である流管４８の一端は、孔３８の開口４４に達する。管体である被処理物定量収容部３５は、その一端が孔３６の開口４０に達し、他端が孔３８の開口４３に達する。
【００５５】
この状態においては、流管４５、孔３７及び排出流路４６により、純水タンク６から流出した流体を反応槽２に送ることのできる流路、すなわち第１流路が形成される。またこのとき流管４７、孔３６、被処理物定量収容部３５、孔３８及び流管４８により、被処理物定量収容部３５を備え、被処理物供給手段８から供給された被処理物を、被処理物定量収容部３５を経由して送ることのできる流路、すなわち第２流路が形成される。
【００５６】
図２において、前記各孔が実線で示された状態における回転切り替えバルブ３２を反時計回りに一定角度回転させると、前記各孔は、図２において点線で示した状態になる。図２において、前記各孔が点線で示される状態では、各孔と他の部材との関係は次のようになっている。純水タンク６から延びる流管４５は、孔３６の開口４０に達する。反応槽２から延びる流管４６は、孔３７の開口４１に達する。被処理物供給手段８から延びる流管４７は、孔３８の開口４４に達する。流管４８の一端は、孔３８の開口４３に達する。被処理物定量収容部３５は、その一端が孔３６の開口３９に達し、他端が孔３７の開口４２に達している。
【００５７】
この状態においては、流管４５、孔３６、被処理物定量収容部３５、孔３７及び流管４６により、純水タンク６から流出した流体を反応槽２に送ることのできる流路、すなわち第１流路が形成される。またこのとき、被処理物定量収容部３５を備え、被処理物供給手段８から供給された被処理物を被処理物定量収容部３５を経由して送ることのできる流路である第２流路は形成されていない。
【００５８】
したがって被処理物導入装置３１においては、回転切り替えバルブ３２の操作によって、第２流路の一部であった被処理物定量収容部３５を第１流路の一部に組み込むことができ、また第１流路の一部であった被処理物定量収容部３５を第１流路から切り離して、第２流路の一部に組み込むことができる。
【００５９】
前記バルブ制御手段は、回転切り替えバルブ３２の作動を制御する手段である。前記バルブ制御手段としては、前述のようなバルブの開閉を可能にすることができれば特に制限はなく、公知の手段を使用することができる。
【００６０】
被処理物導入装置３１は、次のように作用する。
前記バルブ制御手段を操作して、回転切り替えバルブ３２を、前記各孔が図２における実線で示される状態にする。
【００６１】
高圧ポンプ７を作動させ、純粋タンク６内の純水を第１流路、すなわち供給流路４５、孔３７及び排出流路４６に流通させる。
【００６２】
被処理物供給手段８に所定量の被処理物である廃プラスチックを入れ、被処理物供給手段８を操作して廃プラスチックを流管４７内に押し出す。前述の通りに流管４７、孔３６、被処理物定量収容部３５、孔３８及び流管４８から成る第２流路が形成されているので、前記押し出された廃プラスチックは、流管４７を通過して、被処理物定量収容部３５内に供給され、被処理物定量収容部３５内に収容しきれない過剰分の廃プラスチックは、流管４８内に移行する。
【００６３】
このとき被処理物定量収容部３５内には高圧の純水が流通していないので、被処理物定量収容部３５内は大気圧である。したがって前記廃プラスチックの被処理物定量収容部３５への導入時に、被処理物定量収容部３５内の流路から流管４７内に高圧の純水が逆流することがないので、被処理物供給手段８のような簡便な装置により被処理物を容易に被処理物定量収容部３５内に注入することができる。
【００６４】
前記バルブ制御手段を操作して、回転切り替えバルブ３２を回転させ、回転切り替えバルブ３２を、前記各孔が図２における点線で示された状態にする。この状態では、被処理物定量収容部３５が組み込まれた第１流路が形成され、第２流路は形成されない。
【００６５】
純水タンク６から流出した純水は、第１流路、すなわち流管４５、孔３６、被処理物定量収容部３５、孔３７及び流管４６内の流路を流通する。このとき被処理物定量収容部３５内に収容された廃プラスチックは、高圧で流れる前記純水により押し流されて、孔３７及び流管４６内を通過して、前記純水とともに反応槽２に送られる。
【００６６】
前記バルブ制御手段を操作して、回転切り替えバルブ３２を初期状態、すなわち図２において各孔が実線で示される状態にする。
【００６７】
前記と同様の操作を繰り返すことにより、被処理物の導入を次々に行うことができる。
【００６８】
この発明に係る被処理物導入装置の前記具体例において使用する回転切り替えバルブの構造は、回転切り替えバルブ３２のような構造には制限されず、前述した回転切り替えバルブ３２の機能と同様の機能を有していれば、どのような構造であってもよい。また回転切り替えバルブと他の部材との位置関係についても、被処理物導入装置３１において示した位置関係には制限されず、被処理物導入装置３１において示した機能が確保される限りどのような位置関係であってもよい。
【００６９】
上記の被処理物導入装置はいずれも、被処理物定量収容部を１つ有する型であるが、以下に被処理物定量収容部を２つ有する型の被処理物導入装置について説明する。
【００７０】
図３に、被処理物定量収容部を２つ有する型の被処理物導入装置の一具体例である
被処理物導入装置５１の概略図を示す。被処理物導入装置５１は、流路切り替え手段として弁装置を使用する。
【００７１】
被処理物導入装置５１は、純水タンク６、高圧ポンプ７、被処理物供給手段８、分岐流管５２、分岐流管５３、分岐流管６５、流管７４、流管７５、第１被処理物定量収容部５４、第２被処理物定量収容部５５、流路切り替え手段５６及び弁制御手段（図示せず）とを備える。被処理物導入装置５１は、純水タンク、高圧ポンプ、被処理物供給手段８及び弁制御手段に関しては被処理物定量収容部１と共通である。
【００７２】
分岐流管５２は、純水タンク６から延伸し、分岐点５７において二方に分岐し、分岐した流路の一方が第１被処理物定量収容部５４の一端部に至り、分岐した流路の他方が第２被処理物定量収容部５５の一端部に至る。したがって分岐流管５２は、純水タンク６から分岐点５７までの流管部５８と、分岐点５７から第１被処理物定量収容部５４の前記端部までの流管部５９と、分岐点５７から第２被処理物定量収容部５５の前記端部までの流管部６０とにより形成される。
【００７３】
分岐流管５３は、第１被処理物定量収容部５４の、流管部５９が連結した端部とは反対側の端部から延伸し、分岐点６１で二方に分岐し、分岐した流路の一方が第２被処理物定量収容部５５の、流管部６０が連結した端部とは反対側の端部に至り、分岐した流路の他方が反応槽２に至る。したがって分岐流管５３は、第１被処理物定量収容部５４の前記端部から分岐点６１までの流管部６２と、第２被処理物定量収容部５５の前記端部から分岐点６１までの流管部６３と、分岐点６１から反応槽２までの流管部６４とにより形成される。
【００７４】
第１被処理物定量収容部５４及び第２被処理物定量収容部５５については、被処理物導入装置１において示した被処理物定量収容部１２と同様である。
【００７５】
分岐流管６５は、被処理物供給手段８から延び、分岐点６６で分岐し、分岐した流路の一方は、流管部５９と第１被処理物定量収容部５４との接合部に到達し、分岐した流路の他方は、流管部６０と第２被処理物定量収容部５５との接合部に到達する。したがって分岐流管６５は、被処理物供給手段８から分岐点６６までの流管部６７と、分岐点６６から第１被処理物定量収容部５４における前記接合部までの流管部６８と、分岐点６６から第２被処理物定量収容部５５における前記接合部までの流管部６９とにより形成される。
【００７６】
流管７４は、流管部６２と第１被処理物定量収容部５４との接合部に設けられている。流管７５は、流管部６３と第２被処理物定量収容部５５との接合部に設けられている。流管７４及び流管７５は、ドレン管である。
【００７７】
流路切り替え手段５６は、三方切り替え弁７０、三方切り替え弁７１、三方切り替え弁７２及び三方切り替え弁７３により形成される。
【００７８】
三方切り替え弁７０は、流管部５９と第１被処理物定量収容部５４と流管部６８との接合部に設けられている。三方切り替え弁７０は、その開閉により、分岐流管６５の流管部６８における流れを遮断し、流管部５９内の流路と第１被処理物定量収容部５４内の流路とを連通させる状態（以下「流体流通可能状態」という）、及び分岐流管５２の流管部５９における流れを遮断し、流管部６８内の流路と第１被処理物定量収容部５４内の流路とを連通させる状態（以下「流体流通遮断状態」という）にすることが可能である。
【００７９】
三方切り替え弁７１は、流管部６０と第２被処理物定量収容部５５と流管部６９との接合部に設けられている。三方切り替え弁７１は、その開閉により、分岐流管６５の流管部６９における流れを遮断し、流管部６０内の流路と第２被処理物定量収容部５５内の流路とを連通させる状態（以下「流体流通可能状態」という）、及び分岐流管５２の流管部６０における流れを遮断し、流管部６９内の流路と第２被処理物定量収容部５５内の流路とを連通させる状態（以下「流体流通遮断状態」という）にすることが可能である。
【００８０】
三方切り替え弁７２は、流管部６２と第１被処理物定量収容部５４と流管７４との接合部に設けられている。三方切り替え弁７２は、その開閉により、流管７４における流れを遮断し、第１被処理物定量収容部５４内の流路と流管部６２内の流路とを連通させる状態（以下「流体流通可能状態」という）、及び分岐流管５３の流管部６２における流れを遮断し、第１被処理物定量収容部５４内の流路と流管路７４内の流路とを連通させる状態（以下「流体流通遮断状態」という）にすることが可能である。
【００８１】
三方切り替え弁７３は、流管部６３と第２被処理物定量収容部５５と流管７５との接合部に設けられている。三方切り替え弁７３は、その開閉により、流管７５における流れを遮断し、第２被処理物定量収容部５５内の流路と流管部６３内の流路とを連通させる状態（以下「流体流通可能状態」という）、及び分岐流管５３の流管部６３における流れを遮断し、第２被処理物定量収容部５５内の流路と流管７５内の流路とを連通させる状態（以下「流体流通遮断状態」という）にすることが可能である。
【００８２】
前記弁制御手段は、前記各弁の開閉を制御する手段である。前記弁制御手段としては、前述のような各弁の開閉を可能にすることができれば特に制限はなく、公知の手段を使用することができる。
【００８３】
被処理物導入装置５１においては、三方切り替え弁７０及び三方切り替え弁７２が流体流通可能状態であり、三方切り替え弁７１及び三方切り替え弁７３が流体流通遮断状態であるときに、流管部５８、流管部５９、第１被処理物定量収容部５４、流管部６２及び流管部６４により、純水タンク６から流出した流体を反応槽２に送ることのできる流路、すなわち第１流路が形成される。またこのとき、流管部６７、流管部６９、第２被処理物定量収容部５５及び流管７５により、被処理物定量収容部を備え、被処理物供給手段８から供給された被処理物を、前記被処理物定量収容部を経由して送ることのできる流路、すなわち第２流路が形成される。
【００８４】
被処理物導入装置５１においては、三方切り替え弁７０及び三方切り替え弁７２が流体流通遮断状態であり、三方切り替え弁７１及び三方切り替え弁７３が流体流通可能状態であるときに、流管部５８、流管部６０、第２被処理物定量収容部５５、流管部６３及び流管部６４により、純水タンク６から流出した流体を反応槽２に送ることのできる流路、すなわち第１流路が形成される。またこのとき、流管部６７、流管部６８、第１被処理物定量収容部５４及び流管７４により、被処理物定量収容部を備え、被処理物供給手段８から供給された被処理物を、前記被処理物定量収容部を経由して送ることのできる流路、すなわち第２流路が形成される。
【００８５】
被処理物導入装置５１は、次のように作用する。
前記弁制御手段を操作して、三方切り替え弁７０及び三方切り替え弁７２を流体流通可能状態にし、三方切り替え弁７１及び三方切り替え弁７３を流体流通遮断状態にする。
【００８６】
高圧ポンプ７を作動させ、純粋タンク６内の純水を流通させる。純粋タンク６内から流出した純水は、この状態における第１流路、すなわち流管部５８、流管部５９、第１被処理物定量収容部５４、流管部６２及び流管部６４内の流路を通過して反応槽２に至る。前記純水は、第２被処理物定量収容部５５内を通過することはない。
【００８７】
被処理物供給手段８に所定量の被処理物である廃プラスチックを入れ、被処理物供給手段８を操作して廃プラスチックを分岐流管６５に押し出す。前記押し出された廃プラスチックは、この状態における第２流路、すなわち流管部６７及び流管部６９、第２被処理物定量収容部５５及び流管７５内の流路を流通する。第２被処理物定量収容部５５内に収容しきれない過剰分の廃プラスチックは、流管７５内に移行する。
【００８８】
このとき第２被処理物定量収容部５５内には高圧の純水が流通していないので、第２被処理物定量収容部５５内は大気圧である。したがって、被処理物供給手段８から廃プラスチックを第２被処理物定量収容部５５内に供給するときに、第２被処理物定量収容部５５内の流路から分岐流管６５内に高圧の純水が逆流することがないので、被処理物供給手段８のような簡便な装置により被処理物を容易に第２被処理物定量収容部５５内に注入することができる。
【００８９】
前記弁制御手段を操作して、三方切り替え弁７０及び三方切り替え弁７２を流体流通遮断状態にし、三方切り替え弁７１及び三方切り替え弁７３を流体流通可能状態にする。
【００９０】
前記各三方弁は、純粋タンク６内から流出した純水は、この状態における第１流路、すなわち流管部５８、流管部６０、第２被処理物定量収容部５５、流管部６３及び流管部６４内の流路を通過して反応槽２に至る。前記純水は、第１被処理物定量収容部５４内を通過することはない。第２被処理物定量収容部５５内に収容されていた廃プラスチックは、高圧で流れる前記純水により押し流されて、流管部６３及び流管部６４を通過して、前記純水とともに反応槽２に送られる。
【００９１】
このとき前記と同様にして、被処理物供給手段８から廃プラスチックをから押し出す。押し出された廃プラスチックは、この状態における第２流路、すなわち流管部６７、流管部６８、第１被処理物定量収容部５４及び流管７４内の流路を流通する。第１被処理物定量収容部５４内に収容しきれない過剰分の廃プラスチックは、流管７４内に移行する。
【００９２】
前記弁制御手段を操作して、各弁を初期状態、すなわち三方切り替え弁７０及び三方切り替え弁７２を流体流通可能状態にし、三方切り替え弁７１及び三方切り替え弁７３を流体流通遮断状態にする。前記と同様にして、第１被処理物定量収容部５４内に収容されていた廃プラスチックは、純水に押し流されて反応槽２に送られる。
【００９３】
前記と同様の操作を繰り返すことにより、被処理物の導入を次々に行うことができる。
【００９４】
この発明に係る被処理物導入装置における上記具体例においては、流路切り替え手段は弁装置であるが、この弁装置としては、流路切り替え手段５６のような開閉弁及び三方切り替え弁に制限されることはなく、上記のような機能を有していれば他の弁装置であってもよい。
【００９５】
この発明に係る被処理物導入装置における上記具体例の流路は、被処理物導入装置５１に示された流路に制限されることはなく、被処理物導入装置５１において示した機能を有する限り、他の構造の流路であってもよい。
【００９６】
図４に、被処理物定量収容部を２つ有する型の被処理物導入装置の他の具体例である被処理物導入装置８１の概略図を示す。被処理物導入装置８１は、流路切り替え手段として回転切り替えバルブを使用する。
【００９７】
被処理物導入装置８１は、純水タンク６、高圧ポンプ７、被処理物供給手段８、流管８２、流管８３、流管９９、流管１００、第１被処理物定量収容部８４、第２被処理物定量収容部８５、回転切り替えバルブ８６及びバルブ制御手段（図示せず）を備える。被処理物導入装置８１は、純水タンク、高圧ポンプ及び被処理物供給手段８に関しては被処理物定量収容部１と共通である。
【００９８】
流路切り替え手段である回転切り替えバルブ８６は、円柱体である。回転切り替えバルブ８６は、孔８７、孔８８、孔８９及び孔９０を有する。孔８７は、回転切り替えバルブ３２の外周面に開口９１及び開口９２を有し、孔８８は、回転切り替えバルブ３２の外周面に開口９３及び開口９４を有し、孔８９は、回転切り替えバルブ３２の外周面に開口９５及び開口９６を有し、孔９０は、回転切り替えバルブ３２の外周面に開口９７及び開口９８を有する。
【００９９】
図４において、前記各孔が実線で示される状態においては、各孔と他の部材との関係は次のようになっている。純水タンク６から延びる流管８２は、孔９０の開口９８に達する。反応槽２から延びる流管８４は、孔８８の開口９４に達する。被処理物供給手段８から延びる流管９９は、孔８７の開口９２に達する。ドレン管である流管１００の一端は、孔８９の開口９６に達する。管体である第１被処理物定量収容部８４は、その一端が孔８８の開口９３に達し、他端が孔９０の開口９７に達する。管体である第２被処理物定量収容部８５は、その一端が孔８７の開口９１に達し、他端が孔８９の開口９５に達する。
【０１００】
この状態においては、流管８２、孔９０、第１被処理物定量収容部８４、孔８８及び流管８３により、純水タンク６から流出した流体を反応槽２に送ることのできる流路、すなわち第１流路が形成される。またこのとき、流管９９、孔８７、第２被処理物定量収容部８５、孔８９及び流管１００により、被処理物定量収容部を備え、被処理物供給手段８から供給された被処理物を、前記被処理物定量収容部を経由して送ることのできる流路、すなわち第２流路が形成される。
【０１０１】
図４において、前記各孔が実線で示された状態における回転切り替えバルブ８６を反時計回りに一定角度回転させると、前記各孔は、図４において点線で示した状態になる。前記各孔が図４における点線で示される状態であるときには、各孔と他の部材との関係は次のようになっている。純水タンク６から延びる流管８２は、孔９０の開口９７に達する。反応槽２から延びる流管８３は、孔８８の開口９３に達する。被処理物供給手段８から延びる流管９９は、孔８７の開口９１達する。流管１００の一端は、孔８９の開口９５に達する。第１被処理物定量収容部８４は、その一端が孔８９の開口９６に一致し、他端が孔８７の開口９２に達する。第２被処理物定量収容部８５は、その一端が孔９０の開口９８に達し、他端が孔８８の開口９４に達する。
【０１０２】
この状態においては、流管８２、孔９０、第２被処理物定量収容部８５内の流路、孔８８及び流管８３により、純水タンク６から流出した流体を反応槽２に送ることのできる流路、すなわち第１流路が形成される。またこのとき、流管９９、孔８７、第１被処理物定量収容部８４、孔８９及び流管１００により、被処理物定量収容部を備え、被処理物供給手段８から供給された被処理物を、前記被処理物定量収容部を経由して送ることのできる流路、すなわち第２流路が形成される。
【０１０３】
したがって被処理物導入装置８１においては、回転切り替えバルブ８６の操作によって、第２流路の一部であった第１被処理物定量収容部８４又は第２被処理物定量収容部８５を第１流路の一部に組み込むことができ、また第１流路の一部であった第１被処理物定量収容部８４又は第２被処理物定量収容部８５を第１流路から切り離して、第２流路の一部に組み込むことができる。
【０１０４】
前記バルブ制御手段は、回転切り替えバルブ８６の作動を制御する手段である。前記バルブ制御手段としては、前述のようなバルブの開閉を可能にすることができれば特に制限はなく、公知の手段を使用することができる。
【０１０５】
被処理物導入装置８１は、次のように作用する。
前記バルブ制御手段を操作して、回転切り替えバルブ８６を、前記各孔が図４における実線で示される状態にする。
【０１０６】
高圧ポンプ７を作動させ、純粋タンク６内の純水をこの状態における第１流路、すなわち供給流路８２、孔９０、第１被処理物定量収容部８４、孔８８及び排出流路８３内の流路に流通させる。
【０１０７】
被処理物供給手段８に所定量の被処理物である廃プラスチックを入れ、被処理物供給手段８を操作して廃プラスチックを流管９９に押し出す。前記押し出された廃プラスチックは、この状態における第２流路、すなわち流管９９、孔８７、第２被処理物定量収容部８５、孔８９及び流管１００内の流路を流通する。第２被処理物定量収容部８５内に収容しきれない過剰分の廃プラスチックは、流管１００内に移行する。
【０１０８】
このとき第２被処理物定量収容部８５内には高圧の純水が流通していないので、第２被処理物定量収容部８５内は大気圧である。したがって前記廃プラスチックの第２被処理物定量収容部８５への導入時に、第２被処理物定量収容部８５内の流路から流管９９内に高圧の純水が逆流することがないので、被処理物供給手段８のような簡便な装置により被処理物を容易に第２被処理物定量収容部８５内に導入することができる。
【０１０９】
前記バルブ制御手段を操作して、回転切り替えバルブ８６を回転させ、回転切り替えバルブ８６を、前記各孔が図４における点線で示された状態にする。
【０１１０】
純水タンク６から流出した純水は、この状態における第１流路、すなわち流管８２、孔９０、第２被処理物定量収容部８５、孔８８及び排出流路８３を流通する。このとき第２被処理物定量収容部８５内に収容されていた廃プラスチックは、高圧で流れる前記純水により押し流されて、孔８８及び流管８３を通過して、前記純水とともに反応槽２に送られる。
【０１１１】
このとき前記と同様にして、被処理物供給手段８から廃プラスチックをから押し出す。押し出された廃プラスチックは、この状態における第２流路、すなわち流管９９、孔８７、第１被処理物定量収容部８４、流管８９及び流管１００内の流路を流通する。第１被処理物定量収容部８４内に収容しきれない過剰分の廃プラスチックは、流管１００内に移行する。
【０１１２】
前記バルブ制御手段を操作して、回転切り替えバルブ８６を初期状態、すなわち各孔が図４における実線で示される状態にする。前記と同様にして、第１被処理物定量収容部８４内に収容された廃プラスチックは、純水に押し流されて反応槽２に送られる。
【０１１３】
前記と同様の操作を繰り返すことにより、被処理物の導入を次々に行うことができる。
【０１１４】
この発明に係る被処理物導入装置の上記具体例において使用する回転切り替えバルブの構造は、回転切り替えバルブ８６のような構造には制限されず、前述した回転切り替えバルブ８６の機能と同様の機能を有していれば、どのような構造であってもよい。また回転切り替えバルブと他の部材との位置関係についても、被処理物導入装置８１において示した位置関係には制限されず、被処理物導入装置８１において示した機能が確保される限りどのような位置関係であってもよい。
【０１１５】
被処理物導入装置５１及び被処理物導入装置８１においては、被処理物定量収容部が２つあるので、被処理物の反応槽２への導入と、被処理物定量収容部への被処理物の供給とを同時に行うことができる。したがって被処理物導入装置５１及び被処理物導入装置８１は、被処理物定量収容部が１つしかないためにこれらを同時に行うことができない被処理物導入装置１及び被処理物導入装置３１よりも効率的な被処理物の導入が可能である。
【０１１６】
この発明に係る被処理物導入装置においては、被処理物定量収容部の数は１個又は２個には制限されず、３個以上であってもよい。
【０１１７】
上記の具体例において示した被処理物定量収容部は、すべて管体であるが、この発明に係る被処理物導入装置において使用する被処理物定量収容部は、管体に制限されることはなく、上述の機能を有していれば他の形状であってもよい。
【０１１８】
この発明に係る被処理物導入装置おける被処理物提供手段は、ディスポーサブルシリンジには制限されず、被処理物を被処理物定量収容部へ注入することができれば他の供給具であってもよい。前記被処理物提供手段は、手動には制限されず、自動であってもよく、例えば小型ポンプであってもよい。
【０１１９】
この発明における被処理物導入装置に適用することができる被処理物は、廃プラスチックに限定されることはなく、被処理物導入装置に注入可能であれば、その形状、材質は問わない。金属、木片、無機物等も使用することができる。
【０１２０】
上記の具体例において示した被処理物導入装置はすべて、超臨界流体を溶媒として用いる廃プラスチック分解装置に組み込まれているが、この発明に係る被処理物導入装置は、超臨界流体以外を溶媒とする装置にも使用することができ、廃プラスチック分解装置以外の装置に使用することもできる。
【０１２１】
この発明に係る被処理物導入方法は、上記被処理物導入装置の作用についての記載に基づいて行うことができる。
【０１２２】
【発明の効果】
この発明に係る被処理物導入装置は、一時的にその中に被処理物を収容できる被処理物定量収容部を備え、しかも被処理物定量収容部への被処理物の供給時には、被処理物定量収容部は大気圧下にあるので、従来の被処理物導入装置と異なり、加圧しながら注入する加圧注入装置が不要である。このためこの発明に係る被処理物導入装置は、大掛かりな被処理物注入装置が不用であり、シリンジ等の簡便な装置で簡単に被処理物を導入することが可能である。
【０１２３】
またこの発明に係る被処理物導入装置を使用すれば、供給する廃プラスチック等の粒径に関する制約が緩和されるので、廃プラスチックを細かく粉砕する必要なく、その分処理コストを低減させることができる。
【０１２４】
この発明に係る被処理物導入装置においては、被処理物定量収容部を複数個使用すれば、さらに効率的な被処理物の導入が可能になる。
【図面の簡単な説明】
【図１】図１は、被処理物導入装置１を示す概略図である。
【図２】図２は、被処理物導入装置３１を示す概略図である。
【図３】図３は、被処理物導入装置５１を示す概略図である。
【図４】図４は、被処理物導入装置８１を示す概略図である。
【符号の説明】
１・・被処理物導入装置、２・・反応槽、３・・冷却部、４・・背圧弁、６・・純水タンク、７・・高圧ポンプ、８・・被処理物供給手段、９・・流管、１０・・流管、１１・・流路切り替え手段、１２・・被処理物定量収容部、１３・・分岐点、１４・・分岐点、１５・・流管、１６・・流管、１７・・流管部、１８・・流管部、１９・・流管部、２０・・流管、２１・・開閉弁、２２・・三方切り替え弁、２３・・三方切り替え弁、２４・・流管、３０・・廃プラスチック分解装置、３１・・被処理物導入装置、３２・・回転切り替えバルブ、３５・・被処理物定量収容部、３６・・孔、３７・・孔、３８・・孔、３９・・開口、４０・・開口、４１・・開口、４２・・開口、４３・・開口、４４・・開口、４５・・流管、４６・・流管、４７・・流管、４８・・流管、５１・・被処理物導入装置、５２・・分岐流管、５３・・分岐流管、５４・・第１被処理物定量収容部、５５・・第２被処理物定量収容部、５６・・流路切り替え手段、５７・・分岐点、５８・・流管部、５９・・流管部、６０・・流管部、６１・・分岐点、６２・・流管部、６３・・流管部、６４・・流管部、６５・・分岐流管、６６・・分岐点、６７・・流管部、６８・・流管部、６９・・流管部、７０・・三方切り替え弁、７１・・三方切り替え弁、７２・・三方切り替え弁、７３・・三方切り替え弁、７４・・流管、７５・・流管、８１・・被処理物導入装置、８２・・流管、８３・・流管、８４・・第１被処理物定量収容部、８５・・第２被処理物定量収容部、８６・・回転切り替えバルブ、８７・・孔、８８・・孔、８９・・孔、９０・・孔、９１・・開口、９２・・開口、９３・・開口、９４・・開口、９５・・開口、９６・・開口、９７・・開口、９８・・開口、９９・・流管、１００・・流管
【図１】
0004617502.tif 000002
【図２】
0004617502.tif 000003
【図３】
0004617502.tif 000004
【図４】
0004617502.tif 000005